(57)【要約】      （修正有）【課題】３Ｐ用コンセントと２Ｐ用コンセントの種類を問わずに各プラグ挿入口を保護自在な両用タイプのコンセントキャップを提供する。【解決手段】ベース体１の中央に貫通孔が形成され、貫通孔を挟んだベース体１の裏面で凸状された一対のプラグ部が３Ｐ用コンセントＡと２Ｐ用コンセントの２Ｐ用プラグ挿入口２０、２１に挿入自在である。ベース体１の貫通孔の外側部に、凸起を備えた展開部７が展開自在に設けられ、凸起が展開状態で、３Ｐ用コンセントの残る１つのプラグ挿入口３０に挿入される。展開部７がベース体１の内方に回動され、凸起の貫通孔への嵌合状態で、２Ｐ用コンセントの２Ｐ用プラグ挿入口２０、２１にプラグ部が挿入される。【選択図】図５
0003210334.tif 000002
【実用新案登録請求の範囲】
【請求項１】
３Ｐ用コンセントと２Ｐ用コンセントの両方を保護自在な両用コンセントキャップであって、
ベース体の中央に貫通孔が形成され、前記貫通孔を挟んだベース体の裏面で凸状の一対のプラグ部が平行配置で突設され、前記一対のプラグ部が、３Ｐ用コンセントと２Ｐ用コンセントの２Ｐ用プラグ挿入口に挿入自在であり、前記ベース体における貫通孔の外側部に、凸起を裏面に備えた展開部が展開自在に設けられ、３Ｐ用コンセントの保護時には、前記展開部の展開状態で、凸起が３Ｐ用コンセントの残る１つのプラグ挿入口にも挿入されること、
２Ｐ用コンセントの保護時には、前記展開部が、ベース体の裏面側に回動され、貫通孔に凸起が嵌合された状態で、２Ｐ用コンセントの２Ｐ用プラグ挿入口に、前記一対のプラグ部が挿入されること、を特徴とするコンセントキャップ。
【請求項２】
展開部の表面に、２Ｐ用コンセントの使用時に当該展開部を内方へ回動することを表す矢印が記されていることを特徴とする、請求項１に記載したコンセントキャップ。
【請求項３】
一対のプラグ部を備えたベース体と、凸起を備えた展開部の全体が、ナイロン樹脂で成形されていることを特徴とする、請求項１又は２に記載したコンセントキャップ。
【請求項４】
ベース体の裏面に、ヒケ防止用の凹部が設けられていることを特徴とする、請求項１又は３に記載したコンセントキャップ。
【請求項５】
ベース体の表面及び展開部の表面に、樹脂注入口のピンゲートが設けられていることを特徴とする、請求項１〜４のいずれか１項に記載したコンセントキャップ。
【考案の詳細な説明】
【技術分野】
【０００１】
本考案はコンセントキャップに係り、さらに言えば、３Ｐ用コンセントの３つのプラグ挿入口を保護するだけでなく、２Ｐ用コンセントの２つのプラグ挿入口を保護する際にも併用できる、３Ｐ用コンセントと２Ｐ用コンセントの両方を必要に応じて保護自在な両用のコンセントキャップの技術分野に関する。
【背景技術】
【０００２】
コンセントのプラグ挿入口に埃が入ることが原因による火災を防ぐため、またプラグ挿入口への接触による感電事故を防ぐため、コンセントにキャップをすることは従来より行われている。
所謂２Ｐ用コンセントの２つのプラグ挿入口を塞いで保護するコンセントのキャップは、それ専用に開発され公知である。また、３Ｐ用コンセントの３つのプラグ挿入口を塞いで保護する専用のキャップもある。
【０００３】
２Ｐ用コンセントの２つのプラグ挿入口を塞いで保護するタイプとして、例えば特許文献１には、「コンセントに挿入される１対のプラグ部分と、前記コンセントと対向する前面部に前記プラグ部分が突設され、その前面部を除く外形部分が手でつかみにくい曲面形状とされた本体部分と、一端に前記コンセント側への当接部が形成され、他端に操作部が設けられているとともに、両側面に回動支軸が同軸的に突設された操作部材とを備え、前記本体部分には前記操作部材を回動可能に収納し、対向する内側面に前記回動支軸と係合する軸受部を有する支持穴が形成されており、前記操作部材はその操作部のみが前記支持穴から前記本体部分の背面側に突出するようにして前記支持穴内に保持されていて、前記プラグ部分が前記コンセントに挿入されているときに、前記操作部を手で押圧操作することにより、前記当接部が前記コンセント側に当接して前記プラグを前記コンセントから離脱させるようにしたことを特徴とするコンセントカバー。」が記載されている（同文献１の実用新案登録請求の範囲の請求項１）。
【先行技術文献】
【特許文献】
【０００４】
【特許文献１】実用新案登録第２５４１６７４号公報
【考案の概要】
【考案が解決しようとする課題】
【０００５】
前記特許文献１に記載されたコンセントカバーは、同コンセントカバーをコンセントから取り外すときに、操作部を手で押圧操作するだけで、所定量コンセントカバーをコンセント側から離間させることが可能となり、これによりコンセントカバーをつかんで簡単に引き抜くことができ、幼児のいたずらによっては外れてしまう虞れがなく、その点では有用である。
【０００６】
しかし、この特許文献１のコンセントカバーは、あくまで２Ｐ用コンセントの２つのプラグ挿入口を塞いで保護するタイプであって、３Ｐ用コンセントの３つのプラグ挿入口を塞いで保護するタイプではない。
【０００７】
したがって、本考案が解決しようとする課題は、コンパクトな構造ながら、３Ｐ用コンセントの３つのプラグ挿入口を保護するだけでなく、２Ｐ用コンセントの２つのプラグ挿入口を保護することもできて、３Ｐ用コンセントと２Ｐ用コンセントの種類を問わずに保護自在な両用タイプの使い勝手に優れたコンセントキャップを提供することにある。
【課題を解決するための手段】
【０００８】
上記課題を解決するための手段として、請求項１記載の考案のコンセントキャップは、３Ｐ用コンセントＡと２Ｐ用コンセントＢの両方を保護自在な両用コンセントキャップであって、
ベース体１の中央に貫通孔４が形成され、前記貫通孔４を挟んだベース体１の裏面１１で凸状の一対のプラグ部５、５が平行配置で突設され、前記一対のプラグ部５、５が、３Ｐ用コンセントＡと２Ｐ用コンセントＢの２Ｐ用プラグ挿入口２０、２１に挿入自在であり、前記ベース体１における貫通孔４の外側部１２に、凸起６を裏面７１に備えた展開部７が展開自在に設けられ、３Ｐ用コンセントＡの保護時には、前記展開部７の展開状態で、凸起６が３Ｐ用コンセントＢの残る１つのプラグ挿入口３０にも挿入されること、
２Ｐ用コンセントＢの保護時には、前記展開部７が、ベース体１の裏面１１側に回動され、貫通孔４に凸起６が嵌合された状態で、２Ｐ用コンセントＢの２Ｐ用プラグ挿入口２０、２１に、前記一対のプラグ部５、５が挿入されること、を特徴とする。
【０００９】
請求項２に記載した考案のコンセントキャップは、前記展開部７の表面７０に、２Ｐ用コンセントＢの使用時に当該展開部７を内方へ回動することを表す矢印７３が記されていることを特徴とする。
【００１０】
請求項３に記載した考案のコンセントキャップは、前記一対のプラグ部５、５を備えたベース体１と、凸起６を備えた展開部７の全体が、ナイロン樹脂で成形されていることを特徴とする。
【００１１】
請求項４に記載した考案のコンセントキャップは、前記ベース体１の裏面１１に、ヒケ防止用の凹部８が設けられていることを特徴とする。
【００１２】
請求項５に記載した考案のコンセントキャップは、前記ベース体１の表面１０及び展開部７の表面７０に、樹脂注入口のピンゲート９が設けられていることを特徴とする。
【考案の効果】
【００１３】
本考案の請求項１に係るコンセントキャップは、３Ｐ用コンセントに使用する際は、ベース体の裏面で凸状の一対のプラグ部を、３Ｐ用コンセントの２Ｐ用プラグ挿入口に挿入する。と同時に、ベース体における貫通孔の外側部に、凸起を裏面に備えた展開部が展開自在に設けられているので、前記凸起が展開された状態で、３Ｐ用コンセントの残る１つのプラグ挿入口に凸起を挿入すれば、３Ｐ用コンセントの全てのプラグ挿入口を塞ぐことができる。よって、プラグ挿入口に埃が入ることが原因による火災や、プラグ挿入口への接触による感電事故が防止され、幼児のいたずらも未然に防止できて安全である。
また、２Ｐ用コンセントに使用する際は、展開部をベース体の裏面側に回動し、ベース体中央の貫通孔に凸起が嵌合された状態で、２Ｐ用コンセントの２Ｐ用プラグ挿入口に、前記一対のプラグ部を挿入すれば、コンパクト化された当該コンセントキャップを使用して、簡単に２Ｐ用コンセントの２Ｐ用プラグ挿入口を塞ぐことができる。
かくして、従来なしえなかった３Ｐ用コンセントと２Ｐ用コンセントの両方を、必要に応じて保護自在な両用タイプのコンセントキャップが低コストで提供される。
【００１４】
また、請求項２のコンセントキャップのように、展開部の表面には、当該展開部を内方へ回動することを表す矢印が記されているので、２Ｐ用コンセントに当該コンセントキャップを使用する際は、展開部を内方へ回動し、同展開部の凸起を貫通孔に嵌合して、不要な展開部を展開したままでなく、当該キャップを簡単にコンパクト化することができる。
【００１５】
と共に、一対のプラグ部を備えたベース体と、凸起を備えた展開部の全体がナイロン樹脂で成形されているので、絶縁性だけでなく、吸水性をもたせて静電気を防ぐ優れた効果もある（請求項３）。
【００１６】
さらに、請求項４のように、ベース体の裏面にヒケ防止用の凹部が設けられているから、本キャップの成形時に、肉厚で変形することを防止し、高品質な本製品の安定供給が図れる。また、ベース体の表面及び展開部の表面に、樹脂注入口のピンゲートが設けられているので（請求項５）、このピンゲートを利用して、肉薄なヒンジ部に樹脂が流れやすく、ヒンジ部がしっかりして展開部の回動に支障がない。
【図面の簡単な説明】
【００１７】
【図１】本考案のコンセントキャップを示した正面図である。
【図２】コンセントキャップの裏面図である。
【図３】コンセントキャップの底面図である。
【図４】図１における中央縦断面図である。
【図５】３Ｐ用コンセントでの使用状態を示した正面図である。
【図６】コンセントキャップの斜視図である。
【図７】展開部を回動させた２Ｐ用コンセントでの使用時におけるコンセントキャップを背面方向からみた斜視図である。
【図８】展開部の凸起が貫通孔に嵌合された２Ｐ用コンセントでの使用時におけるコンセントキャップを正面方向からみた斜視図である。
【図９】２Ｐ用コンセントでの使用状態を正面の下方からみた斜視図である。
【考案を実施するための最良の形態】
【００１８】
本考案のコンセントキャップの好適な実施形態について、以下図面にしたがいながら説明する。当該コンセントキャップは、図５に示したような所謂３Ｐ用コンセントＡと、図９に示したような所謂２Ｐ用コンセントＢの両方を保護することができる両用コンセントキャップである。
【００１９】
図１と図２は、コンセントキャップの正面図と裏面図、図３と図４は、同コンセントキャップの底面図と中央縦断面図をそれぞれ示している。
【００２０】
このコンセントキャップは、一対のプラグ部５、５を備えた板状のベース体１と、それに一体成形された凸起６付き展開部７とで基本構造が構成されている。それら全体が、ナイロン樹脂で成形されている。絶縁性だけでなく吸水性があって静電気防止に効果的だからである。
【００２１】
前記ベース体１の表面１０に２ケ所、展開部７の表面７０の中央に１ケ所の合計３ケ所に、樹脂注入口のピンゲート９・・・が設けられている。後述するヒンジ部７２へナイロン樹脂が流れやすく高品質に成形できるようにするためである。また、ベース体１の裏面１１の外方に２ケ所、肉抜きのヒケ防止用凹部８、８が設けられ、安定形状が保たれ、量産成形が可能となっている。
【００２２】
ベース体１は、縦が１４ｍｍ、横が２６ｍｍ、厚さが４ｍｍの横長の板状体で成り、その中央にφ＝５ｍｍの円形状の貫通孔４が形成されている。前記貫通孔４を挟んだベース体１の裏面１１で、凸状の一対のプラグ部５、５が平行配置で突設されている。プラグ部５の全長は１５ｍｍで、３Ｐ用コンセントＡと２Ｐ用コンセントＢの２Ｐ用プラグ挿入口２０、２１に挿入自在となっている（図５、図９参照）。
【００２３】
前記ベース体１の下方の外側部１２（図１）に、展開部７が展開自在に設けられている。すなわち、ベース体１において、貫通孔４の下方の外側部１２に、凸起６を裏面７１に備えた展開部７が展開自在に設けられている。この凸起６は、図５に示したような３Ｐ用コンセントＢの残る１つのプラグ挿入口３０（トンネル形状）に嵌合するように、高さが３．２５ｍｍ、φ＝５ｍｍの山形状に形成されている。よって、前記凸起６が展開状態で、３Ｐ用コンセントＢの残る１つのプラグ挿入口３０に挿入して嵌合される構成となっている。
【００２４】
前記の展開部７は、外形がＵ字状に形成され、その薄肉の上端が、ベース体１の下方の外側部１２に連接され、ヒンジ部７２として形成されている。また、展開部７の表面７０には、２Ｐ用コンセントＢの使用時に当該展開部７を内方へ回動することを表す矢印７３が記されている。
【００２５】
したがって、２Ｐ用コンセントＢに使用する場合は、展開部７の表面７０の矢印７３に注意を喚起され、図６に示したように、展開部７をベース体１の裏面１１側（内方）へ回動する。そして、図７と図８に示したように、貫通孔４に展開部７の凸起６を嵌合する。
【００２６】
このように、小さくコンパクトになった嵌合状態で、図９に示したような２Ｐ用コンセントＢの２Ｐ用プラグ挿入口２０、２１に、前記一対のプラグ部５、５を挿入すればよい。図９においては、このコンパクト化された当該コンセントキャップが、２つの２Ｐ用コンセントＢ、Ｂに使用された状態を示している。
【００２７】
３Ｐ用コンセントＡに使用する場合は、図５に例示した３Ｐ用コンセントＢの２Ｐ用プラグ挿入口２０、２１に、一対のプラグ部５、５を挿入すると共に、展開部７が展開された状態で、同展開部７の凸起６を３Ｐ用コンセントＢの残る１つのプラグ挿入口３０に挿入すればいい訳である。
【００２８】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００２９】
Ａ      ３Ｐコンセント
Ｂ      ２Ｐコンセント
１      ベース体
１０    表面
１１    裏面
１２    外側部
２０    プラグ挿入口
２１    プラグ挿入口
３０    プラグ挿入口
４      貫通孔
５      プラグ部
６      凸起
７      展開部
７０    表面
７１    裏面
７２    ヒンジ部
７３    矢印
８      凹部
９      ピンゲート
【図１】
0003210334.tif 000003
【図２】
0003210334.tif 000004
【図３】
0003210334.tif 000005
【図４】
0003210334.tif 000006
【図５】
0003210334.tif 000007
【図６】
0003210334.tif 000008
【図７】
0003210334.tif 000009
【図８】
0003210334.tif 000010
【図９】
0003210334.tif 000011